(57)【要約】本発明は、ユーザからディスプレイ構造変更命令が入力され、予め格納された少なくとも一つのディスプレイ構造データを検索して通信機器の表示部に表示した後、ユーザから入力される任意のディスプレイ構造データに対する選択命令に相応するディスプレイ構造データに通信機器の画面設定を変更することを特徴とするディスプレイ構造変更システム及び方法に関するものであって、液晶表示装置（ＬＣＤ）のディスプレイ構造をユーザの個性に応じて多様に構成でき、ユーザの意図に応じたアプリケーション実行キー設定を可能にしてユーザの移動電話端末器の利用上の便宜性を追求できる。
2004522367.tif 000002
【特許請求の範囲】
【請求項１】
通信機器のディスプレイ構造を変更する方法において、
ユーザからディスプレイ構造変更命令が入力されるステップと、
予め格納された少なくとも一つのディスプレイ構造データを検索するステップと、
前記ディスプレイ構造データに相応するように前記通信機器の表示部に表示するステップと、
前記ユーザから任意のディスプレイ構造データに対する選択命令が入力されるステップと、
前記選択命令に相応するディスプレイ構造データに前記表示部の画面設定を変更するステップと
を含むことを特徴とするディスプレイ構造変更方法。
【請求項２】
前記ディスプレイ構造は、アプリケーションイメージ領域、アプリケーション名称領域、アプリケーションアイコン領域の中少なくともいずれか一つを含んで、
前記通信機器は、移動通信端末器またはＰＤＡであることを特徴とする請求項１に記載のディスプレイ構造変更方法。
【請求項３】
前記ユーザからの前記ディスプレイ構造データを提供するウェブサーバへの接続命令が入力されるステップと、
通信網を介して前記接続命令に相応するウェブサーバに接続を行なうステップと、
前記ウェブサーバから少なくとも一つのディスプレイ構造データを受信するステップと、
前記受信されたディスプレイ構造データに相応するように前記表示部に表示するステップと、
前記ユーザからの前記表示されたディスプレイ構造データのうち任意のディスプレイ構造データに対するダウンロード命令が入力されるステップと、
通信網を介して前記ウェブサーバに前記ダウンロード命令に相応するディスプレイ構造データの伝送を要請するステップと、
前記ディスプレイ構造データを受信するステップと、
前記受信されたディスプレイ構造データを格納するステップと
をさらに含むことを特徴とする請求項１に記載のディスプレイ構造変更方法。
【請求項４】
前記ユーザから前記通信機器の動作開始命令が入力されるステップと、
前記変更されたディスプレイ構造を検索するステップと、
前記ディスプレイ構造データに相応するように前記通信機器の表示部に表示するステップと
をさらに含むことを特徴とする請求項１に記載のディスプレイ構造変更方法。
【請求項５】
通信機器の表示部に表示されるアイコンを設定する方法において、
ユーザから前記通信機器の遂行可能なアプリケーションリストの表示命令が入力されるステップと、
前記通信機器が遂行可能な少なくとも一つのアプリケーションを含むリストを生成するステップと、
前記生成されたリストを前記表示部に表示するステップと、
前記リストに含まれた前記アプリケーションのうち任意のアプリケーションに対する選択命令が入力されるステップと、
前記アプリケーションに対応して指定可能な少なくとも一つの予め格納されたアイコンデータを検索するステップと、
前記検索されたアイコンデータを前記表示部に表示するステップと、
前記ユーザから前記表示されたアイコンデータの中で任意のアイコンデータに対する選択命令が入力されるステップと、
前記選択されたアプリケーションと前記選択されたアイコンデータが連結関係を有するように設定するステップと、
前記アイコンデータを前記アプリケーションに対応するように、前記表示部に表示するステップと
を含むことを特徴とするディスプレイ構造変更方法。
【請求項６】
前記ユーザから前記付加データを提供するウェブサーバへの接続命令が入力されるステップと、
通信網を介して前記接続命令に相応するウェブサーバに接続を行なうステップと、
前記ウェブサーバから少なくとも一つの付加データを受信するステップと、
前記受信された付加データを前記表示部に表示するステップと、
前記ユーザから前記表示された付加データのうち任意の付加データに対するダウンロード命令が入力されるステップと、
通信網を介して前記ウェブサーバに前記ダウンロード命令に相応する付加データの伝送を要請するステップと、
前記付加データを受信するステップと、
前記受信された付加データを格納するステップと
をさらに含んで、
前記付加データは、アイコンデータまたは付加アプリケーションデータであることを特徴とする請求項５に記載のディスプレイ構造変更方法。
【請求項７】
通信機器において遂行可能なアプリケーションに対応して通信機器の表示部に表示されるアイコンの配置を変更する方法において、
ユーザからアイコン配置変更命令が入力されるステップと、
前記通信機器の表示部に表示される既存のアイコン配置データを検索するステップと、
前記アイコン配置データを利用して予め指定された方式で少なくとも一つのアプリケーション指定データを前記通信機器の前記表示部に表示するステップと、ここで、前記アプリケーション指定データは、アプリケーション名称、前記アイコンの中少なくともいずれか一つを含む、
前記ユーザから前記アプリケーション指定データの中任意のアプリケーション指定データに対する選択命令が入力されるステップと、
前記の選択されたアプリケーション指定データに対して前記通信機器の表示部上の表示位置を変更するための位置変更データを入力するステップと、
前記位置変更データを前記アプリケーション指定データに相応するように格納するステップと、
前記位置変更データを利用して前記アイコンを前記通信機器の表示部に配置するステップと
を含むことを特徴とするディスプレイ構造変更方法。
【請求項８】
通信網を介してユーザの通信機器ディスプレイ構造を変更するためのディスプレイ構造変更データを提供する方法において、
前記通信機器から接続要請を受信するステップと、
前記通信機器に前記ディスプレイ構造変更データのリストを伝送するステップと、ここで、前記ディスプレイ構造変更データは、ディスプレイ構造データ、付加アプリケーションデータ、アイコンデータの中少なくともいずれか一つを含む、
前記通信機器から任意のディスプレイ構造変更データの伝送要請を受信するステップと、
前記伝送要請に相応するディスプレイ構造変更データを前記通信機器に伝送するステップと
を含むことを特徴とする通信網を利用したディスプレイ構造変更データ伝送方法。
【請求項９】
ディスプレイ構造の変更が可能な通信機器において、
ユーザからディスプレイ構造変更命令またはディスプレイ構造データの選択命令が入力される手段と、
予め格納された少なくとも一つのディスプレイ構造データを検索する手段と、
前記ディスプレイ構造データを予め指定された方式で表示する手段と、
前記選択命令に相応するディスプレイ構造データに相応するように画面設定を変更する手段と
を含むことを特徴とする通信機器。
【請求項１０】
任意のアプリケーション遂行が可能なアイコンを設定できる通信機器において、
ユーザから前記通信機器の遂行可能なアプリケーションリストの表示命令、任意のアプリケーションに対する選択命令、任意のアイコンデータに対する選択命令のうち少なくともいずれか一つが入力される手段と、
前記通信機器の遂行可能な少なくとも一つのアプリケーションを含むリストを生成する手段と、
前記アプリケーションに対応して指定可能な少なくとも一つの予め格納されたアイコンデータを検索する手段と、
前記選択されたアプリケーションと前記選択されたアイコンデータとが連結関係を有するように設定するステップと、
前記リストまたは前記アイコンデータを表示する手段と
を含むことを特徴とする通信機器。
【請求項１１】
通信機器で遂行可能なアプリケーションに対応して表示されるアイコン配置の変更が可能な通信機器において、
ユーザからアイコン配置変更命令、任意のアプリケーション指定データに対する選択命令、位置変更データのうち少なくともいずれか一つが入力される手段と、
前記通信機器において表示される既存のアイコン配置データを検索する手段と、
前記位置変更データを前記アプリケーション指定データに相応するように格納する手段と、
前記アイコン配置データを利用して予め指定された方式で少なくとも一つのアプリケーション指定データを表示する手段と
を含むことを特徴とする通信機器。
【請求項１２】
請求項１ないし請求項７のいずれかに記載されたディスプレイ構造変更方法を行なうためにデジタル処理装置により実行できる命令語のプログラムが有形的に具現されており、デジタル処理装置により読み出すことができる記録媒体。
【発明の詳細な説明】
〔技術分野〕
本発明は、移動電話端末器のディスプレイ構造変更システム及び方法に関し、特に、ユーザの使用形態に応じて移動電話端末器のディスプレイ構造を恣意的に変更できる移動電話端末器のディスプレイ構造変更システム及び方法に関する。
【０００１】
〔背景技術〕
移動電話ユーザは、自分の独特の個性を追求するために、移動電話端末器にステッカーまたはアクセサリーを付着する傾向がある。例えば、移動電話端末器の外形を独特の様子または色彩に変更したり、ステッカー写真を移動電話端末器の液晶表示装置（ＬＣＤ）背景画面に使用している。
【０００２】
このような傾向は、移動電話端末器の携帯の便利性のみならず移動電話端末器を自分の個性を表現するアクセサリーとして認識する傾向変化に起因するためである。
【０００３】
このような趨勢に合せて移動電話端末器製造社も液晶表示装置（ＬＣＤ）の背景画面をユーザが任意に通信網を介してダウンロードして指定できるように機能改良に努力している。
【０００４】
しかし、従来の液晶表示装置（ＬＣＤ）の背景画面に適用できるイメージは、おしゃれのみを強調するだけでユーザの移動電話端末器の利用上の便宜性は考慮しない短所があった。
【０００５】
また、従来の移動通信端末器の液晶表示装置に表示される通常の待ち受け画面は簡単なイメージ、日付と時間程度のみ表示するだけであるので、別途のメニューキー操作でユーザが所望するメニューに接近しなければならない不便があった。
【０００６】
また、従来の移動電話端末器は、機能遂行のためのアプリケーション実行キー（Ｈｏｔｋｅｙ）設定が製品出荷時に固定されているので、ユーザが任意に自分に好適な実行キー設定または変更が容易ではない短所があった。
【０００７】
〔発明の開示〕
したがって、本発明の目的は、液晶表示装置（ＬＣＤ）のディスプレイ構造をユーザの個性に応じて多様に構成できる移動通信端末器のディスプレイ構造変更システム及び方法を提供することである。
【０００８】
また、ユーザの意図に応じたアプリケーション実行キー（Ｈｏｔｋｅｙ）設定を可能にしてユーザの移動電話端末器の利用上の便宜性を追い求めることができる移動通信端末器のディスプレイ構造変更システム及び方法を提供することである。
【０００９】
また、ユーザが所望する任意のアイコンを指定して、当該アイコンを選択する場合に相応する特定アプリケーションが実行されるようにし、当該アイコンの位置を液晶表示装置（ＬＣＤ）内においてユーザが自由に配置できるようにする移動通信端末器のディスプレイ構造変更システム及び方法を提供することである。
【００１０】
また、移動通信端末器の液晶表示装置に表示される平常時の待ち受け画面上にもアプリケーション実行を可能にするアイコンを配置して煩雑なメニューキー操作がなくてもユーザが所望するアプリケーションを実行できる移動通信端末器のディスプレイ構造変更システム及び方法を提供することである。
【００１１】
上記目的を達成するために、本発明の一側面によると、通信機器のディスプレイ構造を変更する方法において、ユーザからディスプレイ構造変更命令が入力され、予め格納された少なくとも一つのディスプレイ構造データを検索し、前記ディスプレイ構造データに相応するように前記通信機器の表示部に表示し、前記ユーザから任意のディスプレイ構造データに対する選択命令が入力され、前記選択命令に相応するディスプレイ構造データに前記表示部の画面設定を変更することを特徴とするディスプレイ構造変更方法が提供され、当該ディスプレイ構造変更方法の遂行を可能にする装置及び記録媒体が提供される。
【００１２】
また、前記ディスプレイ構造は、アプリケーションイメージ領域、アプリケーション名称領域、アプリケーションアイコン領域などを含むことができ、前記通信機器は、移動通信端末器またはＰＤＡなどで具現できる。
【００１３】
また、ディスプレイ構造変更方法は、前記ユーザから前記ディスプレイ構造データを提供するウェブサーバへの接続命令が入力され、通信網を介して前記接続命令に相応するウェブサーバに接続を行ない、前記ウェブサーバから少なくとも一つのディスプレイ構造データを受信し、前記受信されたディスプレイ構造データに相応するように前記表示部に表示し、前記ユーザから前記表示されたディスプレイ構造データのうち任意のディスプレイ構造データに対するダウンロード命令が入力され、通信網を介して前記ウェブサーバに前記ダウンロード命令に相応するディスプレイ構造データの伝送を要請し、前記ディスプレイ構造データを受信し、前記受信されたディスプレイ構造データを格納するステップをさらに含むことができる。
【００１４】
また、ディスプレイ構造変更方法は、ディスプレイ構造データの変更以後に、前記ユーザから前記通信機器の動作開始命令が入力され、前記変更されたディスプレイ構造を検索し、前記ディスプレイ構造データに相応するように前記通信機器の表示部に表示するステップをさらに含むことができる。
【００１５】
本発明の好ましい一実施例によると、通信機器の表示部に表示されるアイコンを設定する方法において、ユーザから前記通信機器が遂行可能なアプリケーションのリスト表示命令が入力され、前記通信機器が遂行可能な少なくとも一つのアプリケーションを含むリストを生成し、前記生成されたリストを前記表示部に表示し、前記リストに含まれた前記アプリケーションの中で任意のアプリケーションに対する選択命令が入力され、前記アプリケーションに対応して指定可能な少なくとも一つの予め格納されたアイコンデータを検索し、前記検索されたアイコンデータを前記表示部に表示し、前記ユーザから前記表示されたアイコンデータの中で任意のアイコンデータに対する選択命令が入力され、前記選択されたアプリケーションと前記選択されたアイコンデータが連結関係を有するように設定し、前記アイコンデータを前記アプリケーションに対応するように、前記表示部に表示することを特徴とするディスプレイ構造変更方法が提供され、当該ディスプレイ構造変更方法の遂行を可能にする装置及び記録媒体が提供される。
【００１６】
また、前記ユーザから前記付加データを提供するウェブサーバへの接続命令が入力され、通信網を介して前記接続命令に相応するウェブサーバに接続を行ない、前記ウェブサーバから少なくとも一つの付加データを受信し、前記受信された付加データを前記表示部に表示し、前記ユーザから前記表示された付加データのうち任意の付加データに対するダウンロード命令が入力され、通信網を介して前記ウェブサーバに前記ダウンロード命令に相応する付加データの伝送を要請し、前記付加データを受信し、前記受信された付加データを格納するステップをさらに含むことができ、前記付加データは、アイコンデータ、付加アプリケーションデータなどであり得る。
【００１７】
本発明の好ましい他の実施例によると、通信機器で遂行可能なアプリケーションに対応して通信機器の表示部に表示されるアイコンの配置を変更する方法において、ユーザからアイコン配置変更命令が入力され、前記通信機器の表示部に表示される既存のアイコン配置データを検索し、前記アイコン配置データを利用して予め指定された方式で少なくとも一つのアプリケーション指定データ（例えば、アプリケーション名称、前記アイコン等）を前記通信機器の前記表示部に表示し、前記ユーザから前記アプリケーション指定データのうち任意のアプリケーション指定データに対する選択命令が入力され、前記選択されたアプリケーション指定データに対して前記通信機器の表示部上の表示位置を変更するための位置変更データが入力され、前記位置変更データを前記アプリケーション指定データに相応するように格納し、前記位置変更データを利用して前記アイコンを前記通信機器の表示部に配置することを特徴とするディスプレイ構造変更方法が提供され、当該ディスプレイ構造変更方法の遂行を可能にするシステム及び装置が提供される。
【００１８】
本発明の好ましいもう一つの実施例によると、通信網を介してユーザの通信機器ディスプレイ構造を変更できるようにするディスプレイ構造変更データ（例えば、ディスプレイ構造データ、付加アプリケーションデータ、アイコンデータ等）を提供する方法において、前記通信機器から接続要請を受信し、前記通信機器に前記ディスプレイ構造変更データのリストを伝送し、前記通信機器から任意のディスプレイ構造変更データの伝送要請を受信し、前記伝送要請に相応するディスプレイ構造変更データを前記通信機器に伝送することを特徴とする通信網を利用したディスプレイ構造変更データ伝送方法が提供されて、当該通信網を利用したディスプレイ構造変更データ伝送方法の遂行を可能にするシステム及び装置が提供される。
【００１９】
〔発明を実施するための最良の形態〕
以下に、本発明の好ましい実施例を添附した図を参照しながら詳細に説明する。
【００２０】
本発明を適用することにおいて、ユーザの意図で選択できるディスプレイ構造とアイコンの範囲は、次のような種々の方法により指定できる。
【００２１】
第１、移動通信端末器製造社で端末器を生産する過程で複数のディスプレイ構造とアイコンを移動通信端末器内の格納部内に格納するようにする方法がある。
【００２２】
第２に、ユーザが当該アイコン提供サービスを行なうウェブサーバ等に通信網を介して接続して所望のディスプレイ構造やアイコンを通信網を介して受信して移動通信端末器内に格納するようにする方法がまたある。
【００２３】
以下図１を参照して本発明を説明するが、上述した第２の方法を中心に説明する。
【００２４】
また、本明細書で本発明を説明することにおいて移動通信端末器の液晶表示装置（ＬＣＤ）に表示されるディスプレイ構造とアイコンを中心とするが、同じ技術的思想を個人情報通信機器（ＰＤＡ：Ｐｅｒｓｏｎａｌ Ｄｉｇｉｔａｌ Ａｓｓｉｓｔａｎｔｓ）等にも適用できることはもちろんのことである。
【００２５】
図１は、本発明の好ましい一実施例に係るアプリケーション指定アイコン提供システムの概略構成を示す図である。
【００２６】
図１は、ユーザが通信網と結合されたパーソナルコンピュータ（Ｐｅｒｓｏｎａｌ Ｃｏｍｐｕｔｅｒ）を利用して、アイコン提供サービスを行なうウェブサーバに接続して所望のディスプレイ構造またはアイコンを自分の移動通信端末器で受信する過程を示している。
【００２７】
もちろん、ユーザが自分の移動通信端末器を使用して当該ウェブサーバに接続して同じ作業を行なうようにすることもできるが、このような方法の場合にも上記の方法と同様に適用できるので、ここではこれに対する説明は省略する。
【００２８】
図１を参照すると、アプリケーション指定アイコン提供システムは、パーソナルコンピュータ１１０、網連動装置（ＩＷＦ：Ｉｎｔｅｒ−Ｗｏｒｋｉｎｇ Ｆｕｎｃｔｉｏｎ）１２０、アイコン管理システム１３０、アイコン格納部１４０、交換機（ＭＳＣ：Ｍｏｂｉｌｅ Ｓｗｉｔｃｈｉｎｇ Ｃｅｎｔｅｒ）（１５０）、訪問者位置登録機（ＶＬＲ：Ｖｉｓｉｔｏｒ Ｌｏｃａｔｉｏｎ Ｒｅｓｉｓｔｅｒ）１６０、ホーム位置登録機（ＨＬＲ：Ｈｏｍｅ Ｌｏｃａｔｉｏｎ Ｒｅｓｉｓｔｏｒ）１６５、基地局制御機（ＢＳＣ：Ｂａｓｅ Ｓｔａｔｉｏｎ Ｃｏｎｔｒｏｌｌｅｒ）１７０、基地局（ＢＴＳ：Ｂａｓｅ Ｔｒａｎｓｃｅｉｖｅｒ Ｓｔａｔｉｏｎ）１８０、移動通信端末器１９０などを含むことができる。
【００２９】
ディスプレイ構造またはアイコンを自分の移動通信端末器１９０にダウンロードしようとするユーザは、通信網と結合されたパーソナルコンピュータ１１０を利用してアイコン管理システム１３０に接続できる。
【００３０】
そして、アイコン管理システム１３０を既存の短文メッセージ処理システム（ＳＭＳＣ：Ｓｈｏｒｔ Ｍｅｓｓａｇｅ Ｓｅｒｖｉｃｅ Ｃｅｎｔｅｒ）と別途の装置で構成できるのみでなく、既存の短文メッセージ処理システム（ＳＭＳＣ）内にアイコン管理機能を付加することによって、別途の設備がなくても経済的なシステム構成のことができる。
【００３１】
この場合、網連動装置（ＩＷＦ）１２０の作動によりパーソナルコンピュータ１１０とアイコン管理システム１３０との間に接続が可能となる。
【００３２】
網連動装置（ＩＷＦ）１２０は、モデムとＰＰＰサーバ機能を備えているので、移動通信端末器を利用した無線データ通信を別途の無線モデムなしに移動通信端末器のみでデータ送受信を可能にするだけでなく、移動通信端末器とインターネット、ＰＣ通信網の連結まで可能にする。
【００３３】
パーソナルコンピュータ１１０とアイコン管理システム１３０が通信網を介して接続されると、パーソナルコンピュータ１１０画面上には、ユーザがダウンロードのために選択できるアイコン格納部１４０に格納されている少なくとも一つのディスプレイ構造またはアイコンが表示される。
【００３４】
ユーザが任意のディスプレイ構造またはアイコンを選択して当該ディスプレイ構造またはアイコンの受信のための移動通信端末器の電話番号を入力すると、通信網を介してユーザのディスプレイ構造選択データ（またはアイコン選択データ）、受信番号データがアイコン管理システム１３０に伝送される。
【００３５】
アイコン管理システム１３０は、ユーザが選択したディスプレイ構造（またはアイコン）に相応するディスプレイ構造データ（またはアイコンデータ）をアイコン格納部１４０から検索して、パーソナルコンピュータ１１０から受信した受信番号とともに交換機（ＭＳＣ）１５０へ伝送する。
【００３６】
交換機（ＭＳＣ）１５０は、訪問者位置登録機（ＶＬＲ）１６０とホーム位置登録機１６５を利用して当該ディスプレイ構造データ（またはアイコンデータ）の受信を要する移動通信端末器の位置を把握してから、好適な基地局（ＢＴＳ）１８０へ当該ディスプレイ構造データ（アイコンデータ）を伝送する。
【００３７】
訪問者位置登録機（ＶＬＲ）１６０は、自体に割り当てられた区域から他の区域へサービスを提供する機能を行ない、ホーム位置登録機（ＨＬＲ）１６５は、移動通信サービス加入者居住領域内に位置した加入者の情報を記録して保管する機能を行なう。
【００３８】
交換機（ＭＳＣ）１５０は、基地局（ＢＴＳ）１８０と接続して移動通信サービス加入者に対する呼処理及び中継機能などを担当する。
【００３９】
以後、基地局（ＢＴＳ）１８０は、基地局制御機（ＢＳＣ）１７０の制御により交換機（ＭＳＣ）１５０から受信されたディスプレイ構造データ（またはアイコンデータ）を当該受信番号を有する移動通信端末器１９０へ伝送する。
【００４０】
基地局制御機（ＢＳＣ）１７０は、８個以上の基地局（ＢＴＳ）１８０を管理し、移動通信端末器１９０との間の通話時に６４ｋｂｐｓの音声ＰＣＭ信号をＩＳ−９６ 音声圧縮アルゴリズムを利用して８ｋｂｐｓ以下に圧縮する機能を行なう。
【００４１】
また、基地局（ＢＴＳ）１８０は、１個の基地局が管理する領域（Ｃｅｌｌ）内の移動通信端末器の着信、発信などの制御及び当該の基地局内の無線チャネル管理などの役割を行なう。
【００４２】
以後、ユーザは、移動通信端末器１９０内の格納部に格納されたディスプレイ構造データ（またはアイコンデータ）をディスプレイ構造設定、特定アプリケーション指定などの用途に利用できる。
【００４３】
現在、移動通信事業者のウェブサーバなどを介して付加アイテム（例えば、移動通信端末器の液晶表示装置（ＬＣＤ）用の背景画面、電話ベル音等）をダウンロードする技術は一般化されている。したがって、本明細書で本発明を説明することにおいてディスプレイ構造またはアイコンをダウンロードする過程については簡略に述べることにする。
【００４４】
そして、本発明に係るディスプレイ構造またはアイコンを一般ユーザに提供することにおいて伝送件数、利用時間などの基準により有料または無料で設定できることはもちろんのことである。
【００４５】
図２は、本発明の好ましい一実施例に係る液晶表示装置のディスプレイ構造を変更する方法を示すフローチャートであって、図３ａないし図３ｄは、液晶表示装置のディスプレイ構造を変更する過程で出力される画面表示の例示図である。
【００４６】
本発明に係る液晶表示装置のディスプレイ構造を変更する方法を説明することにおいて、理解の便宜のために関連フローチャートと画面表示の例示図をともに利用して説明する。
【００４７】
一般的な移動通信端末器の液晶表示装置のディスプレイ構造は、図３ａの通りである。すなわち、受信可能地域であるかを表示するアンテナ表示、電源状態を表示する乾電池表示、ユーザが任意に簡略な文字を入力できる１ライン（例えば、図３ａには「洪吉童」という文字が入力されている）、日付と曜日を表示するための１ライン、時間を表示するための１ラインがある。
【００４８】
しかし、このようなディスプレイ構造は、単調だけでなく、移動通信端末器ユーザの意図に応じた変更の範囲も制限される短所がある。
【００４９】
また、現在一般化されている方法で絵を利用した初期画面設定方法も一見してユーザの意図に応じた変更が可能であるように見えるが、実際には単に初期画面と絵を置き換えただけであるのである。したがって、実際に移動通信端末器ユーザが電話番号を入力するなどの操作を行う場合に、当該絵は消えてユーザが入力する電話番号のみ液晶表示装置に出力される。
【００５０】
しかし、本発明は、ディスプレイ構造の変更が単に初期画面の変更に限られず、ユーザが任意に所望のディスプレイ構造を設定できる方法を提供する。
【００５１】
以下、図２、図３ｂないし図３ｄを利用して本発明に係るディスプレイ構造変更方法について説明する。
【００５２】
そして、図２に示されているステップは、実際には移動通信端末器内部の制御部、入力受信部等で行われることだが、便宜上移動通信端末器で行なわれるものと通称して説明する。
【００５３】
図２を参照すると、ステップ２１０で移動通信端末器に、ユーザからディスプレイ構造変更要請が入力される。
【００５４】
すなわち、図３ｂを参照して説明すると、ユーザの移動通信端末器液晶表示装置に「１．ディスプレイ構造変更、２．アプリケーションアイコン設定、３．アイコン位置変更」などのメニューが表示されて、ユーザが「１．ディスプレイ構造変更」を選択する場合である。
【００５５】
また図２を参照すると、ステップ２１５で移動通信端末器は、移動通信端末器格納部内に予め格納されたディスプレイ構造があるかを検査する。
【００５６】
ステップ２１５の検査結果で、もし格納されたディスプレイ構造がない場合にはステップ２２０に進む。
【００５７】
ステップ２２０で、移動通信端末器の液晶表示装置上にはエラーメッセージ（例えば、「格納されたディスプレイ構造が存在しません。ウェブサーバを介してダウンロードすることができます。」等）が表示される。もちろん、ステップ２２０でそれ以上進行せず、ステップを終了することもできる。
【００５８】
ステップ２２５で移動通信端末器は、ユーザから通信網を介してウェブサーバへの接続要請が入力されるかを検査する。
【００５９】
現在市販されている移動通信端末器は、大部分の製品が移動通信端末器を利用してユーザのインターネット接続が可能であり、ユーザが移動通信端末器を利用してウェブサーバに接続を試みる場合に網連動装置（ＩＷＦ）１２０（図１参照）が移動通信端末器とウェブサーバとの接続を可能にする。
【００６０】
ステップ２２５の検査結果で、もしユーザからウェブサーバ接続要請が入力される場合には、ステップ２３０へ進行し、またもしそうでない場合にはステップを終了する。
【００６１】
ステップ２３０で移動通信端末器は、ユーザから任意のディスプレイ構造に対するダウンロード要請が入力されるかを検査する。
【００６２】
ステップ２３０の検査結果で、もしユーザから任意のディスプレイ構造に対するダウンロード要請が入力される場合には、ステップ２３５に進行し、またもしそうでない場合にはステップを終了する。
【００６３】
ステップ２３５で移動通信端末器は、ユーザから選択されたディスプレイ構造を通信網を介してダウンロードして格納部内に格納した後、ステップ２１５に進行する。
【００６４】
ステップ２２５ないしステップ２３５を通じて説明したステップは、移動通信端末器を介してダウンロードできるのみでなく、先に図１を参照して説明したように、パーソナルコンピュータなどを介してもダウンロードできる。
【００６５】
またステップ２１５を参照して、ステップ２１５の検査結果で、ユーザが選択可能なディスプレイ構造が格納部内に格納されていれば、ステップ２４０に進行して、ユーザが選択可能なディスプレイ構造を検索する。
【００６６】
ステップ２４５で移動通信端末器は、ステップ２４０を通じて検索された少なくとも一つのディスプレイ構造を移動通信端末器の液晶表示装置に表示する。
【００６７】
ステップ２５０で移動通信端末器は、ユーザから任意のディスプレイ構造に対する選択信号が入力されるかを検査して、ユーザから選択信号が入力される場合には、ステップ２５５へ進行してディスプレイ構造をユーザが選択したディスプレイ構造に更新してからステップを終了する。
【００６８】
しかし、ステップ２５０の検査結果で、ユーザから選択信号が入力されない場合には、既存のディスプレイ構造を維持しつつステップを終了する。もちろん、この場合にステップを終了せず、ユーザから選択信号が入力される時まで待ち受ける等の他のステップを行なうこともできる。
【００６９】
ステップ２４５を通じて表示された選択可能なディスプレイ構造目録は、図３ｃに示した通りである。
【００７０】
ユーザは、図３ｃのように表示された少なくとも一つのディスプレイ構造のうち所望の形態のディスプレイ構造を示す番号を選択して入力することによって、所望のディスプレイ構造に変更できる。
【００７１】
もしユーザが図３ｃに示されている少なくとも一つのディスプレイ構造のうち第１番目のディスプレイ構造を選択した場合に、ユーザの移動通信端末器液晶表示装置には図３ｄのようなディスプレイ構造に表示される。
【００７２】
図３ｄのように本発明に係る液晶表示装置のディスプレイ構造は、アプリケーションイメージ領域３１０、アプリケーション名称領域３２０、アプリケーションアイコン領域３３０等に区分できる。
【００７３】
アプリケーションイメージ領域３１０は、特定のアプリケーションを表すイメージ画面であって、イメージ画面は、ユーザの設定により変更可能であり、当該イメージは通信網を介してダウンロードできる。
【００７４】
また、アプリケーションイメージ領域３１０内のイメージは、ユーザが任意のアプリケーションを選択するためにアプリケーションアイコン領域３３０より左、右方向キーを利用してアイコンを順次的に移動する度にそれに相応するイメージに変わることになる。
【００７５】
アプリケーション名称領域３２０は、アプリケーションの題目を表す部分であって、アプリケーションイメージ領域３１０と同様にユーザがアプリケーションアイコン領域３３０より左、右方向キーを利用してアイコンを順次的に移動する度にそれに応じて出力されるアプリケーション名称も変わることになる。
【００７６】
アプリケーションアイコン領域３３０は、アプリケーションアイコンが表示される領域である。アプリケーションアイコン領域３３０には、基本的には内蔵されているアプリケーションアイコンが表示されており、付加アプリケーションをウェブサーバからダウンロードして設置する場合にはそれに該当するアイコンが追加される。
【００７７】
アプリケーションアイコン領域３３０は、アプリケーションイメージ領域３１０と同様にアプリケーションアイコンをダウンロードして設定することもできる。また、各々のアプリケーションアイコン間の配置順序を変更することもできるので、ユーザは、頻繁に使用するアプリケーションを前の方に配置してアプリケーション遂行を便利にすることができる。
【００７８】
このようなディスプレイ構造は、移動通信端末器内の格納部に格納されたスクリプトにより決定され、この場合スクリプト内に含まれるべきフィールドを例に挙げて説明すると、次の通りである。
【００７９】
【表１】
2004522367.tif 000003
【００８０】
図４は、本発明の好ましい一実施例に係るアプリケーションアイコンの設定方法を示すフローチャートであり、図５ａないし図５ｅは、アプリケーションアイコンを設定する過程で出力される画面表示の例示図である。
【００８１】
図５ａは、先に図２、図３ａないし図３ｄを参照して説明したディスプレイ構造に適用された液晶表示画面の形態を表示する。そして、ユーザが図５ａのアプリケーションアイコン領域３３０にある複数のアプリケーションアイコンのうちＴＢ（Ｔｅｌｅｐｈｏｎｅ Ｂｏｏｋ）アイコンを他の形状のアイコンに変更する場合を例に挙げてともに説明する。
【００８２】
図４によると、ステップ４１０で移動通信端末器は、ユーザからアプリケーションアイコン設定要請が入力され、ステップ４１５へ進行して当該移動通信端末器が行なうことができる少なくとも一つのアプリケーションを含むアプリケーションリストを検索する。
【００８３】
そして、ステップ４２０に進行してステップ４１５を通じて検索されたアプリケーションリストを移動通信端末器の液晶表示装置に表示する。
【００８４】
ステップ４１０とステップ４２０のステップで移動通信端末器液晶表示装置に出力される画面表示は、図５ｂと図５ｃに例示されている。
【００８５】
すなわち、ステップ４１０は、図５ｂにおけるユーザの移動通信端末器液晶表示装置に「１．ディスプレイ構造変更、２．アプリケーションアイコン設定、３．アイコン位置変更」などのメニューが表示された場合に、ユーザが「２．アプリケーションアイコン設定」を選択する場合である。
【００８６】
また、ステップ４２０にしましたものは、図５ｃのように移動通信端末器で行なうことができる「１．電話帳検索、２．文字メッセージ伝送、３．受信メッセージ確認、４．アラーム機能設定」 などのアプリケーションのリストである。
【００８７】
もちろん、アプリケーションリストを表示する時、図５ｃのように各々のアプリケーションを一連番号で区分できるようにすることも可能であり、また各々のアプリケーションの前に一連番号とともに（または一連番号なしに）各々のアプリケーションに相応する基本アイコンで設定されたアイコンを表示することもできる。
【００８８】
ステップ４２５で移動通信端末器は、ユーザから任意のアプリケーションが選択されるかを検査する。
【００８９】
ステップ４２５の検査結果で、ユーザから任意のアプリケーションが選択される場合には、ステップ４３０へ進行し、もしそうでない場合には既存の設定を維持したままステップを終了する。
【００９０】
ステップ４３０で 移動通信端末器は、 ステップ４２５を通じてユーザが選択した任意のアプリケーションに相応して設定可能なアイコンがあるかを検査する。
【００９１】
ステップ４３０の検査結果で、もし設定可能なアイコンがない場合には、ステップ４３５に進行して移動通信端末器液晶表示装置にエラーメッセージ（例えば、「設定可能なアイコンが存在しません。ウェブサーバを介してダウンロードすることができます。」等）を表示した後ステップを終了する。
【００９２】
もちろん、ステップ４３５でエラーメッセージを表示した後、ステップを終了せず、先に図２を参照して説明したように、移動通信端末器自体のインターネット接続機能を利用してウェブサーバから特定アイコンをダウンロードするステップをさらに含むことができる。
【００９３】
ステップ４３０の検査結果で、もし設定可能なアイコンが存在する場合には、ステップ４４０に進行して移動通信端末器内の格納部に格納されている設定可能なアイコンを検索して移動通信端末器の液晶表示装置に表示する。
【００９４】
ステップ４４０により移動通信端末器の液晶表示装置に設定可能なアイコンが表示される場合は、図５ｄに示されている。すなわち、図５ｄは、ユーザが図５ｃに示されている複数のアプリケーションのうち、「１．電話帳検索」を選択した場合の移動通信端末器液晶表示装置に表示される画面表示を例示した図である。
【００９５】
ステップ４４５で移動通信端末器は、ユーザから特定アプリケーションに相応して任意のアイコンが選択されたかを検査する。
【００９６】
ステップ４４５の検査結果で、ユーザから任意のアイコンが選択される場合には、ステップ４５０へ進行し、もしそうでない場合には、ステップ４４０でユーザの選択が入力される時まで待ち受ける。もちろん、ステップ４４０に進行せずステップを終了することもできる。
【００９７】
ステップ４５０で移動通信端末器は、ステップ４２５を通じて選択されたアプリケーションとステップ４４５を通じて選択されたアイコンが連結されるように設定し、移動通信端末器液晶表示装置に表示する。
【００９８】
ステップ４５０を通じて設定されたアイコンは、図５ｅのように移動通信端末器の液晶表示装置に表示される。
【００９９】
そして、図５ａと図５ｅとを比較してみると、電話帳検索アプリケーションが図５ａにおいては「ＴＢ」という形態のアイコンで表示されているが、図５ｅでは、移動通信端末器ユーザにより図５ｄを通じて選択されたイメージ形態のアイコンに変更されていることが分かる。
【０１００】
また、本発明に好ましい他の実施例に係るアプリケーション実行キー設定及びアプリケーション実行方法が提供される。
【０１０１】
すなわち、ユーザが特定アプリケーションの実行を所望する場合、当該アプリケーションを目録から探して選択せず、アプリケーション実行キーを利用して直ちに実行させることができる。
【０１０２】
このような方法を簡略に説明すると、ユーザは、アプリケーション管理者（移動通信端末器内にあるメニューのうち一つであり得る）から所望のアプリケーションを選択した後、予め指定されたメニュー（例えば、「右側ホットキーでショートカット」メニュー等）を選択すると、該当アプリケーションは、アプリケーションアイコン領域３３０ （図５ａ参照）内の特定アイコン上で左、右方向キーを長く押すと 当該アプリケーションが 直ちに遂行されるようにすることができる。
【０１０３】
したがって、本発明に係るディスプレイ構造における方向キーは、アプリケーションアイコン領域３３０（図５ａ参照）上でフォーカスを左、右に移動させる機能の他にアプリケーション実行を可能にするアプリケーション実行キーの機能まで行なうことができる。
【０１０４】
例を挙げて説明すると、ユーザが方向キーを短く押すと、アプリケーションアイコン領域３３０（図５ａ参照）内でフォーカス方向移動を行い、ユーザが方向キーを長く押す場合には、当該アプリケーションが実行されるようにすることである。
【０１０５】
図６は、本発明の好ましい一実施例に係るアプリケーションアイコンの位置を変更する方法を示すフローチャートであり、図７ａないし図７ｅは、アプリケーションアイコンの位置を変更する過程で出力される画面表示の例示図である。
【０１０６】
図７ａは、先に説明したように、本発明が適用された移動通信端末器の液晶表示装置のディスプレイ構造及びアイコン配置を示す。図７ａに示されているアイコンは、受信メッセージ確認アプリケーションアイコン、電話帳検索アプリケーションアイコン、インターネット接続アプリケーションアイコン、エチケット設定機能アプリケーションアイコンの順に配置されている。
【０１０７】
ここでは、図６、図７ｂないし図７ｅを参照しながらアプリケーションアイコンの位置を変更する方法について説明するが、ユーザが受信メッセージ確認アプリケーションアイコンと電話帳検索アプリケーションアイコンとの間の配置順序を変更する場合をともに例を挙げて説明する。
【０１０８】
図６を参照すると、ステップ６１０で移動通信端末器には、ユーザからアプリケーションアイコン位置変更要請が入力され、ステップ６２０へ進行して移動通信端末器格納部に格納されている既存のアイコン位置データを検索する。
【０１０９】
図７ｂを参照して、ステップ６１０を説明すると、ユーザの移動通信端末器液晶表示装置に「１．ディスプレイ構造変更、２．アプリケーションアイコン設定、３．アイコン位置変更」などのメニューが表示された場合に、ユーザが「３．アイコン位置変更」を選択する場合である。
【０１１０】
ステップ６３０で移動通信端末器は、ステップ６２０を通じて検索されたアプリケーションアイコン領域３３０（図３ｄ参照）内のアイコンを各々の位置データに相応するように、移動通信端末器の液晶表示装置内に表示し、ステップ６４０へ進行してユーザにより任意のアイコンが選択されたかを検査する。
【０１１１】
また、先の図７ａにおける移動通信端末器液晶表示装置のアプリケーションアイコン領域３３０（図３ｄ参照）は、受信メッセージ確認アプリケーションアイコン、電話帳検索アプリケーションアイコン、インターネット接続アプリケーションアイコン、エチケット設定機能アプリケーションアイコンの順に構成されているので、図７ｃにおいても各々のアイコンに相応する位置に各々のアプリケーションリストが表示されるのである。
【０１１２】
そして、もし図７ｃのアプリケーションリストのうちユーザが「電話帳検索アプリケーションアイコン」を選択した場合に、移動通信端末器液晶表示装置には、図７ｄのような画面表示が出力される。
【０１１３】
ステップ６４０の検査結果でユーザから任意のアイコンが選択される場合には、ステップ６５０に進行し、もしそうでない場合にはステップを終了する。
【０１１４】
ステップ６５０で移動通信端末器は、ユーザから移動設定データが入力されるかを検査する。
【０１１５】
図７ｄを参照すると、ユーザが選択した「電話帳検索アプリケーションアイコン」の位置を変更できるように上方、下方の方向移動ボタンが提供される。
【０１１６】
ユーザが上方の方向移動ボタンを選択すると、当該アイコンは既存の位置より上位に位置することになり、結果的にアプリケーションアイコン領域３３０（図３ｄ参照）内において前の方に位置することになる（図７ｅはユーザが上方の位置移動ボタンを選択することによって、「電話帳検索アプリケーションアイコン」の位置が変動された様子を例示する）。
【０１１７】
しかし、ユーザが下方の方向移動ボタンを選択する場合には、先の場合と逆の結果を生むことになる。
【０１１８】
また図６を参照すると、ステップ６５０の検査結果でユーザから選択されたアイコンに対する移動設定データが入力される場合には、ステップ６６０へ進行して当該アイコンに対する移動設定データを更新して格納する。また更新された当該アイコンの移動設定データを利用して当該アイコンを液晶表示装置内の好適な位置に表示する。
【０１１９】
図６に示すステップを完了した場合に、移動通信端末器の液晶表示装置に表示される画面表示は図７ｅの通りである。
【０１２０】
なお、本発明は、本実施例に限られるものではなく、本発明の趣旨から逸脱しない範囲内で多様に変更実施することが可能である。
【０１２１】
〔産業上の利用可能性〕
上述したように本発明によると、液晶表示装置（ＬＣＤ）のディスプレイ構造をユーザの個性に応じて多様に構成できる。
【０１２２】
また、ユーザの意図に応じたアプリケーション実行キー設定を可能にしてユーザの移動電話端末器の利用上の便宜性を追求できる。
【０１２３】
また、ユーザが所望する任意のアイコンを指定して当該アイコンを選択する場合、それに相応する特定アプリケーションが実行されるようにし、当該アイコンの位置を液晶表示装置（ＬＣＤ）内でユーザが自由に配置できる。
【０１２４】
また、移動通信端末器の液晶表示装置に表示される平常時の待ち受け画面上にもアプリケーション実行を可能にするアイコンを配置して煩雑なメニューキー操作なしにもユーザが所望するアプリケーションを実行できる。
【０１２５】
また、既存の移動通信端末器のディスプレイ構造を革新的に改良して、ユーザ親和的な画面と機能を提供するのみでなく、通信網を利用したディスプレイ構造、アプリケーションアイコン及びイメージダウンロードという新しい収益創出のモデルも提供できる。
【図面の簡単な説明】
【図１】
本発明の好ましい一実施例に係るアプリケーション指定アイコン提供システムの概略構成を示す図である。
【図２】
本発明の好ましい一実施例に係る液晶表示装置のディスプレイ構造を変更する方法を示すフローチャートである。
【図３ａ】
液晶表示装置のディスプレイ構造を変更する過程で出力される画面表示の例示図である。
【図３ｂ】
液晶表示装置のディスプレイ構造を変更する過程で出力される画面表示の例示図である。
【図３ｃ】
液晶表示装置のディスプレイ構造を変更する過程で出力される画面表示の例示図である。
【図３ｄ】
液晶表示装置のディスプレイ構造を変更する過程で出力される画面表示の例示図である。
【図４】
本発明の好ましい一実施例に係るアプリケーションアイコンを設定する方法を示すフローチャートである。
【図５ａ】
アプリケーションアイコンを設定する過程で出力される画面表示の例示図である。
【図５ｂ】
アプリケーションアイコンを設定する過程で出力される画面表示の例示図である。
【図５ｃ】
アプリケーションアイコンを設定する過程で出力される画面表示の例示図である。
【図５ｄ】
アプリケーションアイコンを設定する過程で出力される画面表示の例示図である。
【図５ｅ】
アプリケーションアイコンを設定する過程で出力される画面表示の例示図である。
【図６】本発明の好ましい一実施例に係るアプリケーションアイコンの位置を変更する方法を示すフローチャートである。
【図７ａ】
アプリケーションアイコンの位置を変更する過程で出力される画面表示の例示図である。
【図７ｂ】
アプリケーションアイコンの位置を変更する過程で出力される画面表示の例示図である。
【図７ｃ】
アプリケーションアイコンの位置を変更する過程で出力される画面表示の例示図である。
【図７ｄ】
アプリケーションアイコンの位置を変更する過程で出力される画面表示の例示図である。
【図７ｅ】
アプリケーションアイコンの位置を変更する過程で出力される画面表示の例示図である。
【符号の説明】
１１０    パーソナルコンピュータ
１２０    網連動装置（ＩＷＦ：Ｉｎｔｅｒ−Ｗｏｒｋｉｎｇ Ｆｕｎｃｔｉｏｎ）
１３０    アイコン管理システム
１４０    アイコン格納部
１５０    交換機（ＭＳＣ：Ｍｏｂｉｌｅ Ｓｗｉｔｃｈｉｎｇ Ｃｅｎｔｅｒ）
１６０    訪問者位置登録機（ＶＬＲ：Ｖｉｓｉｔｏｒ Ｌｏｃａｔｉｏｎ Ｒｅｓｉｓｔｅｒ）
１６５    ホーム位置登録機（ＨＬＲ：Ｈｏｍｅ Ｌｏｃａｔｉｏｎ Ｒｅｓｉｓｔｏｒ）
１７０    基地局制御機（ＢＳＣ：Ｂａｓｅ Ｓｔａｔｉｏｎ Ｃｏｎｔｒｏｌｌｅｒ）
１８０    基地局（ＢＴＳ：Ｂａｓｅ Ｔｒａｎｓｃｅｉｖｅｒ Ｓｔａｔｉｏｎ）
１９０    移動通信端末器
【図１】
2004522367.tif 000004
【図２】
2004522367.tif 000005
【図３ａ】
2004522367.tif 000006
【図３ｂ】
2004522367.tif 000007
【図３ｃ】
2004522367.tif 000008
【図３ｄ】
2004522367.tif 000009
【図４】
2004522367.tif 000010
【図５ａ】
2004522367.tif 000011
【図５ｂ】
2004522367.tif 000012
【図５ｃ】
2004522367.tif 000013
【図５ｄ】
2004522367.tif 000014
【図５ｅ】
2004522367.tif 000015
【図６】
2004522367.tif 000016
【図７ａ】
2004522367.tif 000017
【図７ｂ】
2004522367.tif 000018
【図７ｃ】
2004522367.tif 000019
【図７ｄ】
2004522367.tif 000020
【図７ｅ】
2004522367.tif 000021
【国際公開パンフレット】
2004522367.tif 000022
2004522367.tif 000023
2004522367.tif 000024
2004522367.tif 000025
2004522367.tif 000026
2004522367.tif 000027
2004522367.tif 000028
2004522367.tif 000029
2004522367.tif 000030
2004522367.tif 000031
2004522367.tif 000032
2004522367.tif 000033
2004522367.tif 000034
2004522367.tif 000035
2004522367.tif 000036
2004522367.tif 000037
2004522367.tif 000038
2004522367.tif 000039
2004522367.tif 000040
2004522367.tif 000041
2004522367.tif 000042
2004522367.tif 000043
2004522367.tif 000044
2004522367.tif 000045
2004522367.tif 000046
2004522367.tif 000047
2004522367.tif 000048
2004522367.tif 000049
2004522367.tif 000050
2004522367.tif 000051
2004522367.tif 000052
2004522367.tif 000053
2004522367.tif 000054
2004522367.tif 000055
2004522367.tif 000056
2004522367.tif 000057
2004522367.tif 000058
2004522367.tif 000059
2004522367.tif 000060
2004522367.tif 000061
2004522367.tif 000062
2004522367.tif 000063
2004522367.tif 000064
2004522367.tif 000065
2004522367.tif 000066
2004522367.tif 000067
2004522367.tif 000068
2004522367.tif 000069
2004522367.tif 000070
【国際調査報告】
2004522367.tif 000071
2004522367.tif 000072